(57)【特許請求の範囲】
【請求項１】
道路に沿って適宜間隔で地中に打ち込んでほぼ垂直方向に立設する複数の支柱と、
互いに隣り合う支柱の間を、高さ方向において地面からほぼ同じ寸法距離で連結した複数段の横梁と、
前記の複数段の横梁に固定した格子柵と、を備え、
前記格子柵は、少なくとも２つの前記横梁に沿って延伸した格子取付部材と、
ほぼ垂直方向に長い複数本の格子棒を前記各格子取付部材に交差して横方向に並列した格子と、
前記各格子棒と前記各格子取付部材との交差位置にて、前記格子取付部材に回転可能に取り付け、かつ前記格子棒を保持するクリップと、
を備えたことを特徴とする立入防止柵。
【請求項２】
前記クリップは、前記格子棒を保持可能な二股状又はリング状に形成された保持部と、前記格子取付部材に形成した貫通孔に挿入可能で、かつ抜脱を防止する突起部と、を備えていることを特徴とする請求項１に記載の立入防止柵。
【請求項３】
前記クリップは、二股状の保持部が格子棒を挟み込む付勢力を備えた弾性を有することを特徴とする請求項２に記載の立入防止柵。
【請求項４】
前記格子柵は、横梁に対して複数本の格子棒を格子取付部材で挟んだ状態で、前記格子取付部材を前記横梁へ固定することを特徴とする請求項１、２又は３に記載の立入防止柵。
【請求項５】
道路に沿って適宜間隔で地中に打ち込んでほぼ垂直方向に立設する複数の支柱と、互いに隣り合う支柱の間を、高さ方向において地面からほぼ同じ寸法距離で連結した複数段の横梁と、を備えた立入防止柵において前記の複数段の横梁に固定する格子柵であって、
少なくとも２つの前記横梁に沿って延伸した帯状の格子取付部材と、
ほぼ垂直方向に長い複数本の格子棒を前記各格子取付部材に交差して横方向に並列した格子と、
前記各格子棒と前記各格子取付部材との交差位置において、前記格子取付部材に回転可能に取り付け、かつ前記格子棒を保持するクリップと、
を備えたことを特徴とする格子柵。
【請求項６】
前記クリップは、前記格子棒を保持可能な二股状又はリング状に形成さえた保持部と、前記格子取付部材に形成した貫通孔に挿入可能で、かつ抜脱を防止する突起部と、を備えていることを特徴とする請求項５に記載の格子柵。
【請求項７】
前記クリップは、二股状の保持部が格子棒を挟み込む付勢力を備えた弾性を有することを特徴とする請求項６に記載の格子柵。
【発明の詳細な説明】
【技術分野】
【０００１】
本発明は、クマ、シカ、小動物などの動物が道路等に侵入することを防止する立入防止柵および前記立入防止柵に使用される格子柵を提供する技術に関する。
【背景技術】
【０００２】
近年、エゾシカ、キタキツネ、クマ、小動物などの動物が高速道路や鉄道線路に侵入することが多くなっている。それらの動物と自動車等との衝突を防止するために、道路等に沿って立入防止柵を設置するようになっている。立入防止柵としては、横線材と縦線材とからなる格子金網が一般的に用いられているが、特に、道路の勾配区間では、勾配角度に合わせた格子金網を作成する必要がある。そこで、道路の勾配区間に対応するために、特許文献１、特許文献２に示す格子金網が開発されている。
【０００３】
特許文献１では、格子金網は、複数の横線材と複数の縦線材とを交差させる。その時、複数の横線材と複数の縦線材との交差角度を、設置する場所の勾配に合わせた配列とし、各横線材と各縦線材との交差部分を溶接で固定する。
【０００４】
特許文献２では、金網連結用金具は、「それぞれ独立した２つの線材把持部分を有し、これら把持部分の底面をピン串刺しにより結合し、互いの把持部分が干渉せず自由に回転できるようにした」と述べられている。格子金網は、前記の連結金具を用いて、交差し合う縦線と横線の交点を回転し得るように連結し、縦線と横線の交差する角度を自由に変えることができるようにしている。
【先行技術文献】
【特許文献】
【０００５】
【特許文献１】特開平７―１５０８２１号公報
【特許文献２】特開平９―１８４３２８号公報
【発明の概要】
【発明が解決しようとする課題】
【０００６】
特許文献１では、複数の横線材と複数の縦線材とを、設置する場所の勾配に合わせた角度に交差させた配列にして交差部分を溶接するので、予め工場等で製作してから、設置現場に搬送する。つまり、道路の勾配状況に応じて、予め複数の格子金網を製作する必要があり、多くの手間がかかるという課題を有していた。しかも、道路の起伏変化が大きい場合、勾配角度が多岐にわたるので、多種類の格子金網を製作し且つその数量を算出する必要があり、又施工現場では勾配に合わせた設置作業が必要となるために、全体としての工期短縮を図ることが難しいという欠点があった。
【０００７】
特許文献２では、格子金網の製作において縦線と横線との交点は多いので、使用する金網連結金具の数は多くなる。そのために、格子金網の製作のコストと手間がかかる。金網連結用金具は、それぞれ独立した２つの線材把持部分の底面をピンで串刺しにすることによって回転できるように結合しているので、金網連結用金具そのものも簡単な構成ではない。格子金網の縦線と横線との交点の数が多い分だけ、使用される金網連結用金具が多くなる。したがって、格子金網の製作においてコスト高である。
さらに、複数の横線材と複数の縦線材とからなる格子金網を立入防止柵に設置した場合、小動物は複数の横線材を利用して簡単に登ってしまう欠点がある。
【０００８】
本発明はこのような事情に鑑みてなされたものであって、特に、道路の勾配区間において、道路の勾配状況に応じた形状で、複数段の横梁へ簡単に取り付けることを可能とする格子柵を用いた立入防止柵および格子柵を提供することを目的とする。
【課題を解決するための手段】
【０００９】
請求項１記載の発明は、道路に沿って適宜間隔で地中に打ち込んでほぼ垂直方向に立設する複数の支柱と、互いに隣り合う支柱の間を、高さ方向において地面からほぼ同じ寸法距離で連結した複数段の横梁と、前記の複数段の横梁に固定した格子柵と、を備え、前記格子柵は、少なくとも２つの前記横梁に沿って延伸した格子取付部材と、ほぼ垂直方向に長い複数本の格子棒を前記各格子取付部材に交差して横方向に並列した格子と、前記各格子棒と前記各格子取付部材との交差位置にて、前記格子取付部材に回転可能に取り付け、かつ前記格子棒を保持するクリップと、を備えたことを特徴としている。
【００１０】
請求項２記載の発明は、前記クリップは、前記格子棒を保持可能な二股状又はリング状に形成された保持部と、前記格子取付部材に形成した貫通孔に挿入可能で、かつ抜脱を防止する突起部と、を備えていることを特徴としている。
【００１１】
請求項３記載の発明は、前記クリップは、二股状の保持部が格子棒を挟み込む付勢力を備えた弾性を有することを特徴としている。
【００１２】
請求項４記載の発明は、前記格子柵は、横梁に対して複数本の格子棒を格子取付部材で挟んだ状態で、前記格子取付部材を前記横梁へ固定することを特徴としている。
【００１３】
請求項５記載の発明は、道路に沿って適宜間隔で地中に打ち込んでほぼ垂直方向に立設する複数の支柱と、互いに隣り合う支柱の間を、高さ方向において地面からほぼ同じ寸法距離で連結した複数段の横梁と、を備えた立入防止柵において前記の複数段の横梁に固定する。少なくとも２つの前記横梁に沿って延伸した帯状の格子取付部材と、ほぼ垂直方向に長い複数本の格子棒を前記各格子取付部材に交差して横方向に並列した格子と、前記各格子棒と前記各格子取付部材との交差位置において、前記格子取付部材に回転可能に取り付け、かつ前記格子棒を保持するクリップと、を備えたことを特徴としている。
【００１４】
請求項６記載の発明は、前記クリップは、前記格子棒を保持可能な二股状又はリング状に形成された保持部と、前記格子取付部材に形成した貫通孔に挿入可能で、かつ抜脱を防止する突起部と、を備えていることを特徴としている。
【００１５】
請求項７記載の発明は、前記クリップは、二股状の保持部が格子棒を挟み込む付勢力を備えた弾性を有することを特徴としている。
【発明の効果】
【００１６】
本発明の立入防止柵によれば、道路の勾配区間では、互いに隣り合う支柱が、高さ方向で段差を生じるために、複数段の横梁は斜めになる。この時、格子柵は、複数本の各格子棒と各格子取付部材の交差位置が各クリップにより回転自在であるので、ほぼ垂直方向に長い複数本の格子棒に対して各格子取付部材を斜めに変化させることが可能である。
つまり、格子柵は、支柱に対する横梁の傾斜角に合わせた平行四辺形の形状に、簡単に変形させながら、複数段の横梁に固定することができる。したがって、道路がどのような勾配区間であっても、一種類の格子柵で簡単に対応することが可能であり、格子柵の取り付けに要する施工時間の短縮を図ることが可能となり、施工効率が向上する。しかも、従来のように幾種類もの格子柵を製作する必要がないので、工期短縮と納期削減を図ることが可能となる。
【００１７】
即ち、本発明の格子柵では立入防止柵の支柱に架設されている横梁の傾斜角に合わせた平行四辺形の形状に、簡単に変形させながら、複数段の横梁に固定することができる。したがって、道路がどのような勾配区間であっても、一種類の格子柵で簡単に対応することができ、格子柵の取り付け効率が向上する。しかも、従来のように幾種類もの格子柵を製作する必要がないので、工期短縮と納期削減を同時に図ることが可能となる。
【図面の簡単な説明】
【００１８】
【図１】本発明に係る立入防止柵の第一の実施形態を示し、概略的な説明構成図である。
【図２】（ａ）は、図１の支柱を示す側面図である。（ｂ）は、（ａ）の支柱における先端部分を示す側面図である。（ｃ）は、（ａ）の支柱における下端部分を示す側面図である。
【図３】図１の支柱に対する横梁の配置状態を示す概略的な説明平面図である。
【図４】本発明に係る格子柵の一つの実施形態を示し、概略的な説明構成図である。
【図５Ａ】格子柵の各部材の装着状態を示す斜視図である。
【図５Ｂ】帯状プレートを３段とした場合を示す格子柵の説明構成図である。
【図５Ｃ】図５Ｂにおける格子柵の中央部の帯状プレートに使用しているクリップと格子棒との関係を示す概略斜視図である。
【図６】（ａ）は、道路勾配がない平坦な場合の格子柵の形状を示す概略説明図である。（ｂ）は、道路勾配がある場合の格子柵の形状を示す概略説明図である。
【図７】格子柵を横梁に取り付けた状態を示す部分的な斜視図である。
【図８】格子柵を横梁に取り付けた状態を示す部分的な平面断面図である。
【図９】格子柵を横梁に取り付けた状態を示す部分的な側面断面図である。
【図１０】（ａ）は、格子柵を横梁に取り付けた状態を示す部分的な側面断面図である。（ｂ）は、（ａ）の部分的な斜視図である。
【図１１】本発明に係る立入防止柵の第二の実施形態を示し、概略的な説明構成図である。
【図１２】（ａ）は、図１１の支柱に対する横梁の配置状態を示す概略的な説明構成図である。（ｂ）は、図１１の支柱を示す側面図である。
【発明を実施するための形態】
【００１９】
以下、本発明の第一の実施形態に係る立入防止柵について図面を参照して説明する。図１は、本発明の立入防止柵１０の一つの実施形態として示したものである。特に、道路の勾配区間における立入防止柵を示している。
【００２０】
図１に示されるように、立入防止柵１０は、基本的に道路に沿って適宜間隔で地中に打ち込んでほぼ垂直方向に立設する複数の支柱１１，１１，・・・と、互いに隣り合う支柱１１，１１の間を連結した複数段の横梁１２，１２，・・・と、複数段の横梁１２，１２，・・・に固定した格子柵２０とを備えて構成されている。
【００２１】
支柱１１の下端部は、地中に深さ２００ｍｍ程度でブロックなどを利用した基礎部分に埋設されて立設されている。支柱１１における地面の立ち上がり部分には、図示しない小さな網目を持つ金網を設置することにより、地中からの小動物の侵入を防止することができるようになる。本実施形態では、支柱１１，１１の間の距離は約１５００ｍｍほどであり、地面から上段の横梁１２までの高さは約２５００ｍｍほどである。
【００２２】
立入防止柵１０は、道路に沿って両側に設置される。道路は、平坦部、上り坂、下り坂などの起伏がある。複数の支柱１１，１１，・・・は、道路の勾配の角度に関わりなくほぼ垂直方向に立設するので、勾配区間では、図１に示すように、複数段の横梁１２，１２，・・・は、道路の勾配とほぼ平行に傾斜することになる。
【００２３】
支柱１１は、図２（ａ）、（ｂ）に示されるように、鋼管杭基礎１１ａをコンクリート製のブロック基礎１３によって支持し、鋼管杭基礎１１ａに、例えばトドマツ材などの木材を挿入することにより立設される。前記木材支柱１１と鋼管杭基礎１１ａとの隙間にモルタル１１ｂを充填して固定する。
【００２４】
横梁１２は、例えばトドマツ材などの木材を利用し、図１，図２（ａ）および図３に示すように、互いに隣り合う支柱１１，１１の間を、高さ方向において地面からほぼ同じ寸法距離で連結する。本実施形態では、隣り合う支柱１１，１１の区間において三段の横梁１２，１２，１２を支柱１１の内側（道路側）に取り付けている。その隣りの支柱区間では、三段の横梁１２，１２，１２を支柱１１の外側（道路の外側）に取り付けている。
【００２５】
さらに、その隣りの支柱区間では、三段の横梁１２，１２，１２を支柱１１の内側（道路側）に取り付けている。すなわち、各段の横梁１２，１２，・・・は、図３に示すように、支柱１１，１１，・・・の内側と外側へ交互に取り付けている。
なお、各段の横梁１２，１２，・・・において支柱１１の内側と外側の横梁１２，１２，・・・は、図２（ａ）、（ｂ）に示すように、支柱１１を貫通する接続ボルト１５にて固定されている。横梁１２，１２，・・・は、断面が半円形をなしており、半円形の平面側を支柱１１へ当てて固定する。
【００２６】
格子柵２０は、上記の支柱区間を塞ぐために、三段の横梁１２，１２，１２の平面側に固定される。本実施形態では、格子柵２０は、図４に示すように、中段の横梁１２に沿って延伸した格子取付部材２１と、下段の横梁１２に沿って延伸した格子取付部材２１を備えている。また、本実施形態では２３本の格子棒２３，２３，・・・が、ほぼ垂直方向に長く延びる状態で、前記の２つの格子取付部材２１，２１に交差して横方向に並列して取り付けられている。すなわち、横方向に並列した複数本の格子棒２３，２３，・・・が、格子２２を形成する。
本実施形態での格子棒２３は、直径６ｍｍの丸鋼（鋼線）であるが、材質や形状は特に限定されず、例えば多角形の鋼線を使用することも可能である。この場合は、丸鋼よりも剛性が向上するといった長所がある。さらに、前記の複数本の格子棒２３，２３，・・・と格子取付部材２１，２１との交差位置は、クリップ２４，２４，・・・にて回転可能に固定される。
【００２７】
格子取付部材２１には、図５Ａに示すように、複数本の格子棒２３，２３，・・・との交差位置に、貫通孔２１ａが形成されている。なお、本実施形態では、格子取付部材２１はステンレスの帯状の金属のプレートであるが、材質や形状は特に限定されない。
【００２８】
クリップ２４は、図５Ａに示すように、格子棒２３を挟んで保持する二股状をなす保持部２４ａと、プレート２１に形成した貫通孔２１ａに挿入可能で、かつ抜脱を防止する突起部２４ｂと、を備えている。したがって、クリップ２４は、突起部２４ｂをプレート２１の貫通孔２１ａに挿入した状態で、貫通孔２１ａに対して回転自在に取り付けられる。
なお、本実施形態では、クリップ２４の材質は、ＡＥＳ樹脂としているが、特に限定されない。例えば、ポリアミド（ナイロン６又はナイロン６６）、塩化ビニル、ＡＢＳ樹脂、ＰＰ（ポリプロピレン）、ＦＲＰ（炭素繊維プラスティック）、アルミニウムなど、一定の耐候性を有する素材であれば、樹脂材料、金属材料を問わず利用可能である。
【００２９】
二股状の断面形状の保持部２４ａは、格子棒２３を外周の半円を超える位置まで長く形成し、格子棒２３を挟み込む付勢力を備えた着脱可能な弾性（バネ性）を備えることが望ましい。突起部２４ｂは、プレート２１の貫通孔２１ａ内で回転可能となる溝部２４ｃを備え、先端面に割り溝２４ｄを形成している。前記の割り溝２４ｄによって、先端直径がプレート２１の貫通孔２１ａに挿入できるように小さく撓むことを可能とする構成である。本実施形態では、割り溝２４ｄは、四つ形成しているが、三つ割り溝でも、あるいは五つ割り溝でもよく、特に限定されない。
【００３０】
クリップ２４の突起部２４ｂをプレート２１の貫通孔２１ａへ押し込むと、割り溝２４ｄが撓んで貫通孔２１ａに挿入される。貫通孔２１ａを通過すると、突起部２４ｂが原位置へ戻ることで、クリップ２４は、プレート２１の貫通孔２１ａに対し、全体として回転可能に装着される。一方、格子棒２３は、保持部２４ａの二股部分へ押し込むことにより、簡単に、その弾性付勢力で保持部２４ａにより保持される。
以上のように、本実施形態の格子柵２０は、横梁１２に沿って延伸した帯状のプレート２１が、少なくとも２段あれば成り立つ。つまり、横梁１２の段数に合わせてプレート２１を増やすことができる。
【００３１】
図５Ｂは帯状プレート２１を３段とした場合を示す格子柵の説明構成図、図５Ｃは、図５Ｂにおける格子柵２０の中央部の帯状プレート２１に使用しているクリップ４０と格子棒２３との関係を示す概略斜視図である。
前述した図４の格子柵では帯状プレート２１を２段としているが、図５Ｂに示される格子柵２０では中央部に帯状プレート２１を追加して３段としている点、又、図５Ｃに示されるクリップ４０では、前述のクリップ２４における保持部２４ａが二股状に形成されていたのに対し、保持部４０ａをリング状に形成した点が相違している。
【００３２】
つまり、図５Ｃに示されるように、中段部分に取り付けられるクリップ４０では、保持部４０ａをリング状とし、当該保持部４０ａに格子棒２３を挿入するようにしている。これによれば、１本の格子棒２３を、上中下段の３つのクリップによって支持するため、格子棒２３全体の剛性が向上し、格子柵２０全体としての強度向上を図ることができる。
また、中段ではリング状の保持部４０ａに格子棒２３を挿入していることから、格子棒２３に仮に想定以上の力が生じた場合でも、保持部４０ａによって確実に格子棒２３を保持することが可能となり、撓み量の低減の他、格子棒２３が積雪の影響を受けて、クリップから抜けるなどといった不測の事態を防止することができる。
クリップ２４，４０の組み合わせは格子柵２０の設置箇所等を勘案して適宜選択することが可能である。例えば、強度重視の場合はクリップ４０のみを用いて格子柵２０を構成する、或いはクリップ２４，４０を混在させる、クリップ２４のみとするなど、場合に応じ選択して使用することが望ましい。
なお、クリップ４０の他の形状は、前述したクリップ２４と同様であるので、同一の符号を付し、その説明を省略する。
【００３３】
次いで、本実施形態における立入防止柵について、道路勾配に対応する場合の作用について説明する。
道路勾配がない平坦な場合、格子柵２０は、図６（ａ）に示すように、２つのプレート２１，２１が格子２２における複数本の格子棒２３，２３，・・・に対してほぼ直交するように交差するので、全体としてほぼ長方形になる。
一方、道路勾配がある場合、格子柵２０は、図６（ｂ）に示すように、２つのプレート２１，２１が格子２２における複数本の格子棒２３，２３，・・・に対して、道路勾配と同じ角度で傾斜するように交差するので、全体として平行四辺形になる。
すなわち、格子柵２０は、複数本の各格子棒２３，２３，・・・と各プレート２１，２１との交差位置がクリップ２４，２４，・・・にて回転可能であるので、複数本の格子棒２３，２３，・・・をほぼ垂直の状態で、プレート２１，２１を道路勾配と同じ角度で傾斜するように簡単に変形することができる。
【００３４】
図６（ａ）では、格子柵２０の水平長さは、Ｌ１であるが、図６（ｂ）では、格子柵２０の水平長さは、Ｌ２となる。Ｌ１＞Ｌ２となり、道路勾配の角度δが大きくなるほど、Ｌ２が小さくなる。例えば、Ｌ１が１３００ｍｍで、傾斜を示す数値としてＨ０が３６２ｍｍのとき、Ｌ２は約１２４８ｍｍほどになる。すなわち、５２ｍｍほど短くなる。また、図６（ａ）では、格子棒２３，２３，・・・の間隔Ｓ１が４６ｍｍであるとき、図６（ｂ）では、格子棒２３，２３，・・・の間隔Ｓ２が４４ｍｍほどで、狭くなる。
【００３５】
一方、格子柵２０の垂直長さは変化しない。すなわち、地面から下段の横梁１２に位置するプレート２１までの高さがＨ１で、地面から中段の横梁１２に位置するプレート２１までの高さがＨ２で、中段のプレート２１から上端までの高さがＨ３である場合、図６（ａ）および図６（ｂ）のいずれも変化しない。図６（ｂ）において格子柵２０の平行四辺形における傾きδが、道路勾配の角度δと同じ角度に変化する。
【００３６】
各段の横梁１２は、図３に示すように、隣り合う支柱区間において支柱１１の内側と外側へ交互に取り付けているので、三段の横梁１２，１２，１２の平面側に固定される格子柵２０は、隣り合う支柱区間において内側と外側へ交互に取り付けられる。そのために、隣り合う支柱区間に取り付けられる格子柵２０の平行四辺形は、傾斜方向が正反対の対称形状となる。しかし、本実施形態の格子柵２０は、簡単に傾斜角度を変えることができるので、一種類で十分に対応できる。
【００３７】
上記の格子柵２０を中段の横梁１２および下段の横梁１２に固定する場合を説明する。
図４および図７に示すように、各段の横梁１２では、プレート２１の長手方向において適宜間隔で、プレート２１と横梁１２の平面側との間にパッキンなどの緩衝材２５，２５，・・・を介して取付ネジ２５ａ，２５ａ，・・・で固定する。この時、複数本の格子棒２３，２３，・・・は、図７、図８および図９に示すように、プレート２１によってクリップ２４，２４，・・・を介して横梁１２の平面側に挟まれた状態であるので、高い強度で固定される。
【００３８】
上記の格子柵２０を上段の横梁１２に固定する場合を説明する。
本実施形態では、格子柵２０における複数本の格子棒２３，２３，・・・の上端を、図１０（ａ）および図１０（ｂ）に示すように、Ｌ字型に折り曲げている。ドリルなどの穴開け工具を用いて、横梁１２の平面側に、格子棒２３，２３，・・・を挿入する穴２６，２６，・・・を設ける。各格子棒２３，２３，・・・の折り曲げ部の先端を各穴２６，２６，・・・へ挿入してから、押え棒２７にて複数本の格子棒２３，２３，・・・の上端を押さえる。さらに、押え棒２７の長手方向に適宜間隔で、前記押え棒２７を複数の取付金具２８，２８，・・・にて上段の横梁１２の平面側に取付ネジ２８ａ，２８ａ，・・・で固定する。
【００３９】
なお、格子柵２０は、上段の横梁１２に固定する箇所も、前述のように複数本の格子棒２３，２３，・・・と帯状のプレート２１との交差位置をクリップ２４，２４，・・・にて回転可能に形成してもよい。この場合、複数本の格子棒２３，２３，・・・はクリップ２４，２４，・・・の保持部２４ａ，２４ａ，・・・から下方へ抜けることを防止する手段を講じることが望ましい。
【００４０】
以上のことから、本実施形態の立入防止柵１０は、上り坂と下り坂の起伏が激しい道路であっても、基本的には、一種類の格子柵２０によって簡単に対応することができる。すなわち、道路が勾配する区間では、互いに隣り合う支柱１１，１１が、高さ方向で段差を生じるために、複数段の横梁１２，１２，・・・は斜めになる。格子柵２０は、複数本の格子棒２３，２３，・・・と、格子取付部材２１，２１の交差位置で、各クリップ２４，２４，・・・並びに４０，４０・・により回転自在であるので、ほぼ垂直方向に長い複数本の格子棒２３，２３，・・・に対して各格子取付部材２１，２１を斜めに変化させることを容易に行うことができる。
【００４１】
格子柵２０は、支柱１１，１１に対する横梁１２，１２，・・・の傾斜角に合わせた平行四辺形の形状に、簡単に変形させながら、複数段の横梁１２，１２，・・・に固定することができる。したがって、道路がどのような勾配区間であっても、一種類の格子柵２０で簡単に対応することが可能である。格子柵２０の取り付け効率が向上する。しかも、従来のように幾種類もの格子柵を製作する必要がないので、工期短縮と納期削減を図ることが可能となる。
【００４２】
ちなみに、従来と同じような柵では、道路勾配に合わせて幾つもの種類の柵を予め製作する必要があった。しかも、横梁１２，１２，・・・を支柱区間ごとに交互に向きを変えて支柱１１，１１，・・・へ固定する場合は、前述のように正反対の対称形状となる柵を製作する必要があった。また、勾配の変化が大きい道路では、たくさんの種類の柵を、予め工場などの別の場所で製作する必要があるので、柵の数量を算出することの難しさや、立入防止柵の設置工期に合わせて納入することの難しさがあった。そのため、数量や形状を間違えて発注する可能性が多くなり、その場合は納期に合わせることができない。さらに、柵の種類が多くなるほどコスト高となる。
【００４３】
本実施形態の格子柵２０は、一種類で対応可能であることから、プレート２１やクリップ２４，４０の量産が可能となるので、量産効果によりコスト削減に寄与し、格子柵２０を短納期に納めることが容易となる。これにより、立入防止柵１０の設置工期を遅らせる要因を少なくできる。
【００４４】
格子柵２０は、ほぼ垂直方向に長い複数本の格子棒２３，２３，・・・が、横方向に並列した構成であるので、小動物にとっては滑り易いために格子柵２０の格子２２を登ることが難しくなる。さらに、複数本の格子棒２３，２３，・・・は、クリップ２４，２４，・・・を介して格子取付部材２１にて横梁１２へ挟んで固定するので、高い強度で取り付けることができる。しかも、格子取付部材２１の数を少なくすることで、複数本の格子棒２３，２３，・・・との交差の数が少なくなるので、クリップ２４，２４，・・・の数も少なくなる。低コストに抑えることができる。
【００４５】
次に、本発明の第二の実施形態に係る立入防止柵について図面を参照して説明する。図１１は、本発明の立入防止柵の他の実施形態として示したものである。第二の実施形態の立入防止柵３０の基本的な構造は、第一の実施形態の立入防止柵１０と同様であるので、同様の部材は同じ符号を付して詳しい説明は省略する。
【００４６】
第二の実施形態の立入防止柵３０は、図１１および図１２（ａ），（ｂ）に示すように、横梁１２が、互いに隣り合う支柱１１，１１の間を、高さ方向において地面からほぼ同じ寸法距離で連結する。第一の実施形態と異なる点は、いずれの支柱区間においても二段の横梁１２，１２を支柱１１の外側（道路の外側）に取り付けている。あるいは、横梁１２，１２を支柱１１の内側（道路側）に取り付けてもよい。
なお、各段の横梁１２，１２は、図１２（ａ），（ｂ）に示すように、支柱１１を貫通する接続ボルト３１にて固定されている。横梁１２は、断面が半円形をなしており、半円形の平面側を支柱１１へ当てて固定する。
【００４７】
格子柵２０は、上記の支柱区間を塞ぐために、二段の横梁１２，１２の平面側に固定される。すなわち、すべての支柱区間で、格子柵２０が各段の横梁１２，１２の内側（道路側）へ取り付けられる。あるいは、すべての支柱区間で、格子柵２０が各段の横梁１２，１２の外側（道路の外側）へ取り付けてもよい。格子柵２０は前述と同様の構造であり、各段の横梁１２，１２へ同様に取り付けられる。
【００４８】
図１１では道路が平坦の状態を示しているが、道路勾配がある場合でも、前述と同様に格子柵２０を道路勾配と同じ角度で傾斜する平行四辺形に変形して取り付ける。他は構成、作用や効果も同様である。
【産業上の利用可能性】
【００４９】
本発明は、フェンス、防止柵や格子柵等の製造・販売、道路等の管理団体、林業関連企業などにおいて、利用可能性を有する。
【符号の説明】
【００５０】
１０  立入防止柵
１１  支柱
１１ａ  鋼管杭基礎
１１ｂ  モルタル
１２  横梁
１３  ブロック基礎
１５  接続ボルト
２０  格子柵
２１  プレート（格子取付部材）
２１ａ  貫通孔
２２  格子
２３  格子棒
２４  クリップ
２４ａ  保持部
２４ｂ  突起部
２４ｃ  溝部
２４ｄ  割り溝
２５  緩衝材
２５ａ  取付ネジ
２６  穴
２７  押え棒
２８  取付金具
２８ａ  取付ネジ
３０  立入防止柵
３１  接続ボルト
４０  クリップ
４０ａ  保持部
【図１】
0006364146.tif 000002
【図２】
0006364146.tif 000003
【図３】
0006364146.tif 000004
【図４】
0006364146.tif 000005
【図５Ａ】
0006364146.tif 000006
【図５Ｂ】
0006364146.tif 000007
【図５Ｃ】
0006364146.tif 000008
【図６】
0006364146.tif 000009
【図７】
0006364146.tif 000010
【図８】
0006364146.tif 000011
【図９】
0006364146.tif 000012
【図１０】
0006364146.tif 000013
【図１１】
0006364146.tif 000014
【図１２】
0006364146.tif 000015